(57)【要約】【課題】カメラを三脚に固定する場合に、カメラの下面を雲台の上面に固定するが、カメラの底面を雲台の上面に面接触させようとしても、現実には、それぞれの面には凹凸が存在し、不安定な点接触により接しているので、励起される振動が収束しないという問題があった。【解決手段】本発明の第１の態様における撮像装置は、筐体と、筐体の一面に配置され、三脚の雄ねじと螺合する雌ねじを有する三脚座と、雄ねじが雌ねじに螺合されると一面から突出する剛体の突出部とを備える。【選択図】図１
2015161739.tif 000002
【特許請求の範囲】
【請求項１】
筐体と、
前記筐体の一面に配置され、三脚の雄ねじと螺合する雌ねじを有する三脚座と、
前記雄ねじが前記雌ねじに螺合されると前記一面から突出する剛体の突出部と
を備える撮像装置。
【請求項２】
前記一面に、前記突出部と直線上に並ばないように配置された剛体の２つ以上の突起部を備える請求項１に記載の撮像装置。
【請求項３】
前記一面に設けられた弾性部材を備え、
前記弾性部材の前記一面からの高さは、圧縮されていない場合に前記突起部より高く、前記雄ねじが前記雌ねじに螺合されて圧縮された場合に前記突起部の高さ以下となる請求項２に記載の撮像装置。
【請求項４】
前記突起部は、前記雌ねじの中心軸に対して前記突出部と反対側に配置されている請求項２または３に記載の撮像装置。
【請求項５】
前記突出部は、光学系の光軸方向に直交する方向の成分を有する方向に幅広である請求項１から４のいずれか１項に記載の撮像装置。
【請求項６】
前記突出部は、直線上に並ばないように配置された少なくとも３つからなる請求項１から５のいずれか１項に記載の撮像装置。
【請求項７】
前記突出部を前記筐体内部側へ付勢する付勢部材を備える請求項１から６のいずれか１項に記載の撮像装置。
【請求項８】
前記突出部は、前記三脚座と一体的に形成されている請求項１から７のいずれか１項に記載の撮像装置。
【請求項９】
前記突出部が前記一面を突出する位置に、前記突出部と摺動嵌合する嵌合部を備える請求項１から８のいずれか１項に記載の撮像装置。
【請求項１０】
前記筐体は金属素材で形成され、
前記三脚座は、前記筐体に進退可能に支持される請求項１から９のいずれか１項に記載の撮像装置。
【請求項１１】
前記筐体はプラスチック素材で形成され、
前記三脚座は、前記筐体に固定された構造体に進退可能に支持される請求項１から９のいずれか１項に記載の撮像装置。
【請求項１２】
前記筐体と前記三脚座の少なくともいずれかは、進退時の回転を抑止するガイド部を有する請求項１０または１１に記載の撮像装置。
【発明の詳細な説明】
【技術分野】
【０００１】
本発明は、撮像装置に関する。
【背景技術】
【０００２】
カメラの底面を雲台の上面に接触させて、三脚に固定されるカメラが知られている（例えば、特許文献１参照）。
［先行技術文献］
［特許文献］
［特許文献１］特開平８−３０４９０２号公報
【発明の概要】
【発明が解決しようとする課題】
【０００３】
カメラの底面を雲台の上面に面接触させようとしても、現実には、それぞれの面には凹凸が存在し、不安定な点接触により接しているので、励起される振動が収束しないという問題があった。
【課題を解決するための手段】
【０００４】
上記課題を解決するために、本発明の第１の態様における撮像装置は、筐体と、筐体の一面に配置され、三脚の雄ねじと螺合する雌ねじを有する三脚座と、雄ねじが雌ねじに螺合されると一面から突出する剛体の突出部とを備える。
【０００５】
なお、上記の発明の概要は、本発明の特徴の全てを列挙したものではない。また、これらの特徴群のサブコンビネーションもまた、発明となりうる。
【図面の簡単な説明】
【０００６】
【図１】第１の実施形態としての撮像装置の模式的な断面図である。
【図２】三脚取付部の分解斜視図である。
【図３】撮像装置を底面側から見た様子を模式的に示す図である。
【図４】三脚が取り付けられた状態を模式的に示す断面図である。
【図５】第２の実施形態としての撮像装置の模式的な断面図である。
【図６】第２の実施形態に係る撮像装置に三脚の雲台が取り付けられた状態を模式的に示す断面図である。
【図７】三脚座プレートの変形例を示す図である。
【図８】三脚座プレートの変形例を示す図である。
【図９】カバー部の変形例を示す図である。
【図１０】変形例としての突起部を備える撮像装置を底面側から見た様子を模式的に示す図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、第１の実施形態としての撮像装置１０００の模式的な断面図である。図１（ａ）に示すように、撮像装置１０００は、一眼レフレックスカメラである。図示するように、被写体側から撮像ユニット１１００へ向かう光軸１０１１に沿った方向をＺ軸プラス方向と定める。Ｚ軸に直交し、紙面下側から紙面上側に向かう方向をＹ軸プラス方向と定める。Ｚ軸と直交し、紙面奥側から紙面手前側へ向かう方向をＸ軸プラス方向と定める。以降のいくつかの図においては、図１（ａ）の座標軸を基準として、それぞれの図の向きがわかるように座標軸を表示する。また、Ｚ軸プラス方向を前方、前側等と呼ぶ場合がある。また、Ｚ軸マイナス方向を後方、後側等と呼ぶ場合がある。また、Ｙ軸プラス方向を上方、上側、上部等と呼ぶ場合がある。Ｙ軸マイナス方向を下方、下側、下部等と呼ぶ場合がある。また、Ｘ軸方向を横方向、左右方向、幅方向等と呼ぶことがある。Ｙ軸方向を、上下方向、高さ方向と呼ぶことがある。Ｚ軸方向を、前後方向と呼ぶことがある。
【０００９】
図１（ａ）は、後述する三脚の雲台に取り付けられていない状態の撮像装置１０００を模式的に示す図である。撮像装置１０００は、レンズユニット１０１０およびカメラ本体１０２０を備える。レンズユニット１０１０は、交換レンズである。レンズユニット１０１０は、カメラ本体１０２０に着脱可能である。図１（ａ）は、カメラ本体１０２０にレンズユニット１０１０が装着された状態を撮像装置１０００として示す。
【００１０】
カメラ本体１０２０は、ボディ側マウント１０２２と、筐体としてのカバー部１０３０と、ボディ部１０４０と、ミラーユニット１０４２と、撮像ユニット１１００と、処理ユニット１４００と、表示ユニット１０２４と、ファインダユニット１０６０と、ファインダ窓１０６４と、三脚取付部１０７０と、焦点検出ユニット１０５０とを有する。レンズユニット１０１０は、ボディ側マウント１０２２に装着される。
【００１１】
カバー部１０３０は、撮像装置１０００の外観を提供する。カバー部１０３０は、前カバー１０３１と、上カバー１０３２と、後カバー１０３３とを有する。ボディ部１０４０と、ミラーユニット１０４２と、撮像ユニット１１００と、処理ユニット１４００と、ファインダユニット１０６０と、焦点検出ユニット１０５０とは、前カバー１０３１、上カバー１０３２および後カバー１０３３によって実質的に覆われる。
【００１２】
レンズユニット１０１０は、レンズ側マウント１０１２と、光学系１０１４とを有する。レンズ側マウント１０１２は、光学系１０１４より後側に設けられる。レンズ側マウント１０１２は、カメラ本体１０２０の前面に配されたボディ側マウント１０２２と嵌合することにより、レンズユニット１０１０がカメラ本体１０２０に装着される。
【００１３】
光学系１０１４は、光軸１０１１に沿って移動可能に設けられる少なくとも一つの可動レンズを有する。当該可動レンズが光軸１０１１に沿って移動することにより、光学系１０１４の焦点距離、合焦位置が変化する。レンズユニット１０１０は、光学系１０１４を通過した被写体光束を出射する。
【００１４】
カメラ本体１０２０において、ボディ部１０４０の上方には、ファインダユニット１０６０が固定される。ファインダユニット１０６０は、フォーカシングスクリーン１０６１と、ペンタプリズム１０６２と、ファインダレンズ系１０６３とを有する。
【００１５】
ボディ部１０４０内には、ミラーユニット１０４２が設けられる、ミラーユニット１０４２は、メインミラー１０４３と、サブミラー１０４４とを含む。
【００１６】
ミラーユニット１０４２は、レンズユニット１０１０が出射した被写体光束の光路中に進入した状態と、被写体光束の光路から退避した状態とをとる。図１（ａ）は、ミラーユニット１０４２が被写体光束の光路中に進入した状態を示す。具体的には、メインミラー１０４３は、レンズユニット１０１０が出射した被写体光束の光路中に進入した進入位置と、被写体光束の光路から退避した退避位置との間で、回転可能に軸支される。サブミラー１０４４は、メインミラー１０４３に対して回転可能に軸支される。サブミラー１０４４は、メインミラー１０４３とともに被写体光束中に進入し、メインミラー１０４３とともに被写体光束から退避する。
【００１７】
メインミラー１０４３が進入位置にある場合、メインミラー１０４３に入射した被写体光束の一部は、メインミラー１０４３に反射されてフォーカシングスクリーン１０６１に導かれる。フォーカシングスクリーン１０６１は、撮像ユニット１１００が有する撮像素子の撮像面と共役な位置に配されて、レンズユニット１０１０が有する光学系１０１４が形成した被写体像を可視化する。フォーカシングスクリーン１０６１に形成された被写体像の光束は、ペンタプリズム１０６２に導かれる。ペンタプリズム１０６２に導かれた光束の一部の光束は、ペンタプリズム１０６２およびファインダレンズ系１０６３を通じてファインダ窓１０６４から出射して、被写体として観察され得る。ファインダ窓１０６４は、後カバー１０３３に締結されたアイカップ１３３２に設けられている。
【００１８】
メインミラー１０４３が進入位置にある場合、メインミラー１０４３に入射した被写体光束のうちメインミラー１０４３で反射した被写体光束以外の光束は、サブミラー１０４４に入射する。具体的には、メインミラー１０４３はハーフミラー領域を有し、メインミラー１０４３のハーフミラー領域を透過した被写体光束がサブミラー１０４４に入射する。ハーフミラー領域を透過しサブミラー１０４４で反射した被写体光束は、ボディ部１０４０に固定された焦点検出ユニット１０５０に入射する。焦点検出ユニット１０５０は、入射した光束を受光して被写体に対する焦点状態を示す情報を出力する焦点検出センサを有する。撮像装置１０００は、焦点検出ユニット１０５０による焦点状態の検出結果に基づいて焦点調節を行う。例えば、光学系１０１４が含む可動レンズを、焦点状態の検出結果に基づいて移動させることにより、焦点調節を行う。
【００１９】
ミラーユニット１０４２が被写体光束から退避すると、レンズユニット１０１０を透過する被写体光束は、撮像ユニット１１００に入射して、撮像ユニット１１００が有する撮像素子の撮像面に到達する。
【００２０】
撮像ユニット１１００の後方には、処理ユニット１４００および表示ユニット１０２４が順次配置される。表示ユニット１０２４としては、液晶パネル等を適用できる。表示ユニット１０２４の表示面は、カメラ本体１０２０の背面に現れる。表示ユニット１０２４は、撮像素子からの出力信号から生成される画像を表示する。表示ユニット１０２４は、後カバー１０３３に固定される。
【００２１】
処理ユニット１４００には、ＭＰＵ、ＡＳＩＣ等の電子回路が実装される。ＭＰＵは、撮像装置１０００の全体の制御を担う。撮像素子からの出力信号は、フレキシブルプリント基板を介してＡＳＩＣへ出力される。ＡＳＩＣは、撮像素子から出力された出力信号を処理する。
【００２２】
ＡＳＩＣは、撮像素子からの出力信号に基づいて、表示用の画像データを生成する。表示ユニット１０２４は、ＡＳＩＣが生成した表示用の画像データに基づいて画像を表示する。ＡＳＩＣは、撮像素子からの出力信号に基づいて、記録用の画像データを生成する。ＡＳＩＣが生成した記録用の画像データは、カメラ本体１０２０に装着された記録媒体に記録される。カメラ本体１０２０には記録媒体が着脱可能に設けられる。
【００２３】
前カバー１０３１、上カバー１０３２および後カバー１０３３は剛性の高い金属素材で形成される。ボディ側マウント１０２２は金属で形成される。ボディ側マウント１０２２は、環形状を有するマウントリングである。ボディ部１０４０は、プラスチック素材で形成される。ボディ部１０４０は、カバー部１０３０に固定される。
【００２４】
カバー部１０３０はモノコック構造を有する。上カバー１０３２は、前カバー１０３１および後カバー１０３３と締結される。例えば、上カバー１０３２は、ねじにより前カバー１０３１に締結される。同様に、上カバー１０３２は、ねじにより後カバー１０３３に締結される。同様に、前カバー１０３１は、ねじにより後カバー１０３３に締結される。前カバー１０３１、上カバー１０３２および後カバー１０３３は、前カバー１０３１、上カバー１０３２および後カバー１０３３で形成されるカバー部１０３０がモノコック構造を有するように、それぞれ他のカバーと締結される。
【００２５】
ボディ部１０４０は、突当部１０４６を有する。突当部１０４６は、ボディ部１０４０の底面から下側に突出して設けられる。突当部１０４６は、ボディ部１０４０と一体的に形成される。
【００２６】
三脚取付部１０７０は、カメラ本体１０２０を三脚の雲台に固定する部材である。三脚取付部１０７０は、カバー部１０３０の内部に設けられる。具体的には、三脚取付部１０７０は、前カバー１０３１に設けられる底面部１０３４の内側に設けられる。底面部１０３４は、支持部１０３５を有する。支持部１０３５は、カバー部１０３０の内側に向かって形成される。支持部１０３５は、三脚取付部１０７０を支持する。
【００２７】
三脚取付部１０７０は、三脚座１０８０、三脚座プレート１０９０および付勢部材としてのコイルバネ１０７４を含む。三脚座１０８０に設けられた軸部１０８２の外周は、支持部１０３５の内周と摺動可能に嵌合する。つまり、三脚座１０８０は、カバー部１０３０に進退可能に支持される。三脚座１０８０は、後述する三脚ねじの雄ねじと螺合する雌ねじ１０８４を有する。三脚座１０８０の下側には、三脚座プレート１０９０が設けられる。
【００２８】
三脚座プレート１０９０は、例えばＳＵＳ等の金属により形成される。三脚座プレート１０９０は、下方に伸びる突出部１０９２を有する。突出部１０９２は、カメラ本体１０２０を三脚の雲台に固定したときに、変形しない程度に高い剛性を有する。すなわち、突出部１０９２は、剛体である。詳しくは後述するが、三脚座プレート１０９０は、三脚座１０８０に固定される。コイルバネ１０７４は、底面部１０３４の内側と三脚座プレート１０９０の間に介在する。コイルバネ１０７４は、三脚座プレート１０９０をカバー部１０３０の内部側、すなわち上側に付勢する。よって、三脚座１０８０の上面は、突当部１０４６の下面と接触している。したがって、三脚を使用しない場合に、三脚座１０８０が上下に動いて発生する異音を防ぐことができる。
【００２９】
底面部１０３４は、上下方向に貫通する第１開口部１０３７および第２開口部１０３８を有する。三脚を使用する場合には、三脚ねじの雄ねじは、第１開口部１０３７を通って三脚座１０８０の雌ねじ１０８４と螺合する。これにより、カメラ本体１０２０は、三脚の雲台に固定される。詳しくは後述するが、三脚ねじの雄ねじが三脚座１０８０の雌ねじ１０８４と螺合すると、突出部１０９２は、第２開口部１０３８を通って底面部１０３４から突出する。
【００３０】
嵌合部１２００は、第２開口部１０３８の内壁に設けられる。嵌合部１２００は、例えばモルトプレーン、ゴム等の弾性変形できる部材から成る。嵌合部１２００は、突出部１０９２と摺動嵌合する。嵌合部１２００は、第２開口部１０３８と突出部１０９２との隙間からカバー部１０３０内部への水、塵等の異物の侵入を防ぐ役割を担う。
【００３１】
突起部１０３９は、底面部１０３４の下面に設けられる。突起部１０３９は、下側に突出して形成される。突起部１０３９は、前カバー１０３１と一体的に形成される。突起部１０３９は、カメラ本体１０２０を三脚の雲台に固定したときに、変形しない程度に高い剛性を有する。すなわち、突起部１０３９は、剛体である。突起部１０３９は、三脚座１０８０の雌ねじ１０８４の中心軸に対して、突出部１０９２と反対側に配置されている。具体的には、図１（ａ）に示すように、光軸方向において、突出部１０９２は、三脚座１０８０の雌ねじ１０８４の中心軸よりも後側に配置され、突起部１０３９は、三脚座１０８０の雌ねじ１０８４の中心軸よりも前側に配置される。
【００３２】
弾性部材１２１０は、カバー部１０３０の底面に設けられる。弾性部材１２１０は、カメラ本体１０２０を例えば机の上面に置いた場合に、突起部１０３９が机の上面に接触することにより、机の上面に傷を付けることを防ぐ役割を担う。弾性部材１２１０は、三脚を使用しないときは、上下方向に圧縮されていない。
【００３３】
図１（ｂ）は、図１（ａ）におけるＡ部を拡大して示す図である。図示するように、弾性部材１２１０のカバー部１０３０の底面からの高さ、より具体的には、弾性部材１２１０の底面部１０３４の下面からの高さｈ１は、突起部１０３９の底面部１０３４の下面からの高さｈ２より高い。これにより、カメラ本体１０２０を机の上面に置いたときに、弾性部材１２１０の底面が、机の上面と接触する。よって、突起部１０３９は、机の上面と接触しない。したがって、突起部１０３９が机の上面に接触することにより、机の上面の傷の発生を抑制することができる。
【００３４】
図２は、三脚取付部１０７０の分解斜視図である。図面を簡略化する目的で、前カバー１０３１に設けられる底面部１０３４は、三脚取付部１０７０の付近を抽出して図示される。なお、弾性部材１２１０は省略する。三脚座１０８０は、鍔部１０８１および軸部１０８２を含む。鍔部１０８１は、円板状に形成される。鍔部１０８１には、貫通孔１０８３が形成される。軸部１０８２は、鍔部１０８１から下側に伸びて形成される。軸部１０８２の内部には、三脚ねじの雄ねじと螺合すべく雌ねじ１０８４が形成される。軸部１０８２の外周には、第１ガイド部１０８５が、雌ねじ１０８４の中心軸方向に沿って形成される。第１ガイド部１０８５は、軸部１０８２の外周から径方向に突出して形成される。第１ガイド部１０８５は、四角形状の断面を有する。第１ガイド部１０８５は、三脚座１０８０の進退時の回転を抑止する役割を担う。
【００３５】
三脚座プレート１０９０は、基台部１０９１および突出部１０９２を含む。基台部１０９１は、板状に形成される。突出部１０９２は、基台部１０９１から下側に突出して形成される。基台部１０９１は、第１貫通孔１０９３および第２貫通孔１０９４を有する。第１貫通孔１０９３の内周には、第１貫通孔１０９３の軸方向に沿って溝部１０９５が形成される。溝部１０９５は、四角形状の断面を有する。溝部１０９５の断面は、第１ガイド部１０８５の断面よりも若干大きく形成される。第２貫通孔１０９４には、雌ねじが形成される。三脚座１０８０は、第１ガイド部１０８５を溝部１０９５に遊嵌させつつ、第１貫通孔１０９３と嵌合する。三脚座１０８０は、ねじ１０７２により三脚座プレート１０９０に締結される。
【００３６】
軸部１０８２は、支持部１０３５の内周と摺動嵌合する。突出部１０９２は、第２開口部１０３８の壁面に設けられた嵌合部１２００と嵌合する。支持部１０３５の内周には、第１ガイド部１０８５に対応するように、第２ガイド部１０３６が形成される。第２ガイド部１０３６は、支持部１０３５の中心軸方向に沿って形成される。第２ガイド部１０３６の断面は、第１ガイド部の断面よりも若干大きく形成される。第２ガイド部１０３６は、三脚座１０８０の進退時の回転を抑止する役割を担う。第１ガイド部１０８５は、第２ガイド部１０３６に遊嵌する。第２ガイド部１０３６は、第１ガイド部１０８５と共働して三脚座１０８０の進退時の回転を抑止する役割を担う。つまり、第１ガイド部１０８５および第２ガイド部１０３６は、いわゆるキーとキー溝の関係にあるので、三脚座１０８０は、前カバー１０３１に対する回転を抑止される。三脚座はカバー部１０３０に対して相対的に回転しないので、使用者は、三脚座１０８０に三脚ねじを締め込むことができる。
【００３７】
図３は、撮像装置１０００を底面側から見た様子を模式的に示す図である。突起部１０３９は、２つ設けられる。２つの突起部１０３９と突出部１０９２は、同一直線上に並ばないように配置される。具体的には、２つの突起部１０３９と突出部１０９２は、それぞれの配置される位置を結ぶと三角形状になるように配置される。詳しくは後述するが、三脚を使用する場合には、２つの突起部１０３９と突出部１０９２の３点が雲台１２５０の上面と接触する。予め定められた３点で支持されるので、撮像装置１０００は、安定した状態で雲台に固定される。
【００３８】
突出部１０９２は、光軸１０１１方向に直交する成分を有する方向に幅広に形成される。２つの突起部１０３９は、光軸１０１１方向には略同じ位置で、カメラの幅方向に離れて配置される。前後方向に安定した状態でカメラ本体１０２０を雲台１２５０に固定すべく、２つの突起部１０３９と突出部１０９２の光軸方向の距離を極力長くすることが好ましい。したがって、本実施形態においては、突出部１０９２は、光軸１０１１に直交する方向に幅広に形成される。
【００３９】
例えばピン形状のように突出部１０９２の先端の面積が小さいと、底面部１０３４から突き出た突出部１０９２は、雲台１２５０の上面に突き刺さり、雲台１２５０を傷つける恐れがある。しかしながら、本実施形態においては、突出部１０９２を光軸１０１１と直交する方向に幅広にしたので、雲台１２５０との接触面積が大きくなり、雲台１２５０との接触圧が小さくなる。したがって、突出部１０９２は、雲台１２５０に突き刺さりにくい。
【００４０】
なお、本実施形態においては、２つの突起部１０３９は、三脚座１０８０よりも前側に配置され、突出部１０９２は、三脚座１０８０よりも後側に配置される例を示した。しかしながら、２つの突起部１０３９は、三脚座１０８０よりも後側に配置され、突出部１０９２は、三脚座１０８０よりも前側に配置されてもよい。
【００４１】
さらに、本実施形態においては、突起部１０３９は２つ設けられ、突出部１０９２は１つ設けられる例を示した。しかしながら、突起部１０３９は１つ設けられ、突出部１０９２は２つ設けられてもよい。いずれの場合も、予め定められた３点で支持するので、撮像装置１０００は、安定した状態で雲台に固定される。
【００４２】
弾性部材１２１０は、全体に四角形状に形成される。弾性部材１２１０は、第１開口部１２１２および第２開口部１２１４を有する。第１開口部１２１２は、底面部１０３４に設けられた第１開口部１０３７および第２開口部１０３８を避けるように形成される。第２開口部１２１４は、底面部１０３４に設けられた２つの突起部１０３９を逃げるように形成される。
【００４３】
なお、弾性部材１２１０は、図示する形状に限らない。弾性部材１２１０は、例えば、カメラ本体１０２０の横方向、すなわち図示する上下方向に沿って伸びる細長いスリット状に形成されて、光軸１０１１方向に沿って複数配置される。つまり、弾性部材１２１０は、突起部１０３９、第１開口部１０３７および第２開口部１０３８を避けていれば、デザイン性を考慮して種々の形状に形成されることができる。
【００４４】
なお、本実施形態においては、突起部１０３９は、２つ設けられる例を示した。しかしながら、突起部１０３９は、２つ以上設けられてもよい。
【００４５】
カメラ本体１０２０は、フォーカルプレーンシャッタを有する。一眼レフレックスカメラにおいては、カメラ本体１０２０は、ミラーショックおよびシャッタショックにより振動する。ミラーショックとは、ミラーユニット１０４２を駆動したときに発生する振動を示す。シャッタショックとは、フォーカルプレーンシャッタを駆動したときに発生する振動を示す。ミラーユニット１０４２は、進入位置と退避位置の間を移動できるように駆動される。このとき発生する振動が、カメラ本体１０２０を三脚の雲台に固定したときに残留する。フォーカルプレーンシャッタは、先幕と後幕を含む。ミラーユニット１０４２が駆動されると、フォーカルプレーンシャッタの先幕と後幕が駆動される。このとき発生する振動が、カメラ本体１０２０を三脚の雲台に固定したときに残留する。よって、カメラ本体１０２０は、前後方向に回転するような揺れを発生しやすい。したがって、本実施形態においては、突起部１０３９と突出部１０９２は、光軸方向の距離が長くなるように配置される。これにより、カメラ本体１０２０は、光軸方向にはより安定した状態で雲台に固定される。よって、カメラ本体１０２０が前後方向に回転するように振動したとしても、振動は収束しやすい。
【００４６】
図４は、三脚が取り付けられた状態の撮像装置１０００を模式的に示す断面図である。図４（ａ）に示すように、撮像装置１０００は、三脚座１０８０の雌ねじ１０８４と三脚ねじ１２６０の雄ねじ１２６２の螺合によって三脚の雲台１２５０に固定される。三脚座１０８０の雌ねじ１０８４と三脚ねじ１２６０の雄ねじ１２６２が螺合すると、三脚座１０８０は、三脚ねじ１２６０に引き込まれて下方に移動する。三脚座プレート１０９０は三脚座１０８０に固定されて一体化しているので、突出部１０９２は、嵌合部１２００を貫通して、前カバー１０３１の底面部１０３４から突出する。
【００４７】
使用者が三脚ねじ１２６０を締め込むと、三脚座プレート１０９０と支持部１０３５が接触するまで、三脚座１０８０は、下方に移動する。やがて、三脚座プレート１０９０が支持部１０３５に突き当たり、三脚座１０８０は下方に移動できなくなる。このとき、カメラ本体１０２０は、雲台１２５０の上面１２５２に接触しているだけなので、弾性部材１２１０と雲台１２５０の上面１２５２との摩擦力によって止まった状態にある。すなわち、この状態では、カメラ本体１０２０は、雲台１２５０に対して強固に固定されていない。さらに使用者が、三脚ねじ１２６０を締め込むと、三脚座１０８０はこれ以上下方に移動できないので、三脚ねじ１２６０は、カメラ本体１０２０を雲台１２５０に向かって引き込む。すると、弾性部材１２１０は、圧縮される。そして、突起部１０３９および突出部１０９２は、雲台１２５０の上面１２５２と接触する。こうして、カメラ本体１０２０は、安定した状態で雲台１２５０に固定される。
【００４８】
図４（ｂ）は、図４（ａ）におけるＢ部を拡大して示す図である。図示するように、三脚ねじ１２６０の雄ねじ１２６２が三脚座１０８０の雌ねじ１０８４に螺合されて、弾性部材１２１０が圧縮された場合には、圧縮された弾性部材１２１０の前カバー１０３１の底面部１０３４からの高さｈ３は、突起部１０３９の底面部１０３４からの高さｈ２以下となる。このような関係を満たすように突起部１０３９および弾性部材１２１０の高さを設定することにより、三脚を使用しない場合には、机等の被接触物に傷がつくことが抑制できる。三脚を使用する場合には、突起部１０３９および突出部１０９２が、雲台１２５０の上面１２５２と接触するので、カメラ本体１０２０は、安定した状態で雲台１２５０に固定される。
【００４９】
本実施形態によれば、カメラ本体１０２０が三脚の雲台１２５０に固定される場合には、突起部１０３９および突出部１０９２が、雲台１２５０の上面１２５２と接触する。つまり、カメラ本体１０２０は、予め定められた３点で安定した状態で雲台１２５０の上面１２５２と接触できる。したがって、ミラーショック、シャッタショック等により振動が発生したとしても、撮像装置１０００の振動は、早期に収束する。
【００５０】
三脚を使用する場合には、三脚座１０８０は、三脚ねじ１２６０と螺合する。よって、三脚座１０８０は、雲台１２５０に対して強固に固定される。また、突出部１０９２は、三脚座１０８０に固定されて一体化している。したがって、突出部１０９２は、強固に雲台の上面１２５２と接触できる。剛性の高い突起部１０３９および突出部１０９２が雲台１２５０の上面１２５２と接触するので、カメラ本体１０２０は、安定した状態で雲台１２５０に固定される。よって、カメラ本体１０２０の内部の構造によって励起される振動は、早期に収束する。
【００５１】
図５は、第２の実施形態としての撮像装置１０００の模式的な断面図である。第２の実施に係る撮像装置１０００が備える構成要素のうち、第１の実施形態に係る撮像装置１０００と同様の機能を有する構成要素には、同じ符号が付されている。なお、第２の実施形態においては、第１の実施形態で説明した要素と同一の要素については説明を省略する。
【００５２】
図５は、第２の実施形態に係る撮像装置１０００に三脚が取り付けられていない状態を模式的に示す。筐体としてのカバー部１０３０は、プラスチック素材で形成される。突起部１０３９は、底面部１０３４の下面に設けられる。突起部１０３９は、下側に突出して形成される。突起部１０３９は、前カバー１０３１と一体的に形成される。カバー部１０３０がプラスチック素材で形成される場合であっても、突起部１０３９は、カメラ本体１０２０を三脚の雲台に固定したときに、変形しない程度に高い剛性を有するように形成される。カバー部１０３０は、構造体としてのボディ部１０４０に固定される。ボディ底部１３００は、ボディ部１０４０の下側に配置される。ボディ底部１３００は、ボディ部１０４０と固定される側とは反対の側に、第１貫通孔１３０２および第２貫通孔１３０４を有する。
【００５３】
三脚座１０８０の軸部１０８２は、第１貫通孔１３０２と摺動嵌合する。三脚座１０８０に固定された三脚座プレート１０９０の突出部１０９２は、第２貫通孔１３０４と遊嵌する。したがって、三脚座１０８０は、ボディ底部１３００に対して上下方向に進退可能に支持される。ボディ底部１３００と三脚座プレート１０９０の間には、コイルバネ１０７４が配置される。コイルバネ１０７４は、三脚座プレート１０９０を上側に付勢する。よって、三脚座１０８０の上面は、突当部１０４６の下面と接触している。したがって、三脚を使用しない場合に、三脚座１０８０が上下に動いて発生する異音を防ぐことができる。
【００５４】
突出部１０９２の先端は、第２貫通孔１３０４から突出し、嵌合部１２００と嵌合する。カバー部１０３０がプラスチック素材で形成される場合は、金属素材で形成されたカバー部１０３０に比べて強度が低い。三脚ねじ１２６０の雄ねじ１２６２と三脚座１０８０の雌ねじ１０８４が螺合するとき、三脚座１０８０を支持する部材には、大きな力が加わる。よって、剛性の高いボディ部１０４０に固定されたボディ底部１３００が、三脚座１０８０を支持する。
【００５５】
図６は、第２の実施形態に係る撮像装置１０００に三脚の雲台１２５０が取り付けられた状態を模式的に示す断面図である。撮像装置１０００は、三脚座１０８０の雌ねじ１０８４と三脚ねじ１２６０の雄ねじ１２６２の螺合によって三脚の雲台１２５０に固定される。三脚座１０８０の雌ねじ１２８４と三脚ねじ１２６０の雄ねじ１２６２が螺合すると、三脚座１０８０は、三脚ねじ１２６０に引き込まれて下方に移動する。三脚座プレート１０９０は三脚座１０８０に固定されて一体化しているので、突出部１０９２は、嵌合部１２００を貫通して、前カバー１０３１の底面部１０３４から突出する。そして、突起部１０３９および突出部１０９２は、雲台１２５０の上面１２５２と接触する。第２の実施形態においても、第１の実施形態と同様に、突起部１０３９および突出部１０９２が雲台１２５０の上面１２５２と接触するので、カメラ本体１０２０は、安定した状態で雲台１２５０に固定される。
【００５６】
図７は三脚座プレート１０９０の変形例を示す図である。図７（ａ）は、本変形例による三脚座プレート２０９０の斜視図である。三脚座プレート２０９０は、３つの突出部２０９２を有する。３つの突出部は、同一直線上に並ばないように配置される。具体的には、２つの突出部２０９２は、基台部２０９１の前側に設けられて、１つの突出部２０９２は、基台部２０９１の後側に設けられる。３つの突出部２０９２は、基台部２０９１から略同じ長さに突出して形成される。
【００５７】
図７（ｂ）は、本変形例における三脚座プレート２０９０を備える撮像装置１０００を底面側から見た様子を模式的に示す図である。図面を簡略化する目的で、レンズユニット１０１０、カメラ本体１０２０、三脚座１０８０、３つの突出部２０９２および雲台１２５０を抽出して図示する。なお、弾性部材１２１０は省略する。３つの突出部２０９２は、三脚座１０８０を取り囲むように配置される。３つの突出部２０９２は、雲台１２５０の上面と接触する。３つの突出部２０９２により平面を構成できるので、カメラ本体１０２０は、安定して雲台１２５０に固定される。なお、本変形例においては、突出部２０９２は、３つ設けられる例を示した。しかしながら、突出部２０９２は、４つ以上設けられてもよい。
【００５８】
なお、３つの突出部２０９２は、上述した位置以外に配置されてもよい。１つの突出部２０９２は、基台部２０９１の前側に設けられて、２つの突出部２０９２は、基台部２０９１の後側に設けられてもよい。三脚座プレート２０９０に設けられる突出部２０９２の数は、４つ以上であってもよいが、３点あれば平面を構成できて安定するので、３つの突出部２０９２を形成することが好ましい。３つの突出部２０９２が雲台１２５０の上面と接触するので、突起部は、前カバー１０３１の底面部１０３４に設けられなくてよい。さらに、突出部２０９２は、三脚を使用しない場合はカバー部１０３０の内部に退避している。よって、例えば机の上面にカメラ本体１０２０を置いたとしても、突出部２０９２は、机の上面に傷を付けない。したがって、カメラ本体１０２０は、カバー部１０３０の底面に弾性部材１２１０を備えなくてよい。
【００５９】
図８は、三脚座プレート１０９０の変形例を示す図である。図８（ａ）は、前カバー１０３１の底面部１０３４に２つの突起部１０３９が設けられる場合に対応する三脚座プレート３０９０の斜視図である。三脚座プレート３０９０は、突出部３０９２の先端に突出方向に突き出た突部３０９６を有する。突部３０９６の幅は、突出部３０９２の幅よりも小さく形成される。突部３０９６は、突出部３０９２の略中央に１つ配置される。カメラ本体１０２０を三脚に取り付けるとき、突部３０９６が突き刺さらない程度に雲台１２５０の上面１２５２が硬い素材で形成される場合には、突部３０９６は、雲台１２５０の上面１２５２に接触する。これにより、カメラ本体１０２０は、２つの突起部１０３９および突出部３０９２の先端に設けられた突部３０９６の３点によって安定して固定される。カメラ本体１０２０を三脚に取り付けるとき、突部３０９６が突き刺さる程度に雲台１２５０の上面１２５２が柔らかい素材で形成される場合は、突出部３０９２の底面３０９７が、雲台１２５０の上面１２５２に接触する。つまり、柔らかい雲台１２５０の上面１２５２に対して線接触できるので、カメラ本体１０２０は、安定した状態で雲台１２５０に固定される。
【００６０】
図８（ｂ）は、前カバー１０３１の底面部１０３４に１つの突起部１０３９が設けられる場合に対応する三脚座プレート４０９０の斜視図である。２つの突部４０９６は、突出部４０９２の両端に形成される。図８（ａ）における説明と同様に、突部４０９６が突き刺さらない程度に雲台１２５０の上面１２５２が硬い素材で形成される場合は、２つの突部４０９６は、雲台１２５０の上面１２５２に接触する。突部４０９６が突き刺さる程度に雲台の上面が柔らかい素材で形成される場合は、突出部４０９２の底面４０９７が、雲台１２５０の上面１２５２に接触する。以上に説明した三脚座プレート３０９０もしくは４０９０のような、先端に突部を有する突出部を使用すれば、雲台１２５０の上面１２５２の素材の硬さに関わらず、カメラ本体１０２０を安定して雲台１２５０に固定することができる。
【００６１】
図９は、カバー部１０３０の変形例を示す図である。第１の実施形態および第２の実施形態においては、前カバー１０３１の底面部１０３４に、剛体の突起部１０３９を設ける例を示した。本変形例においては、突起部は設けられない。その代わりとして、前カバー２０３１は、底面部２０３４に傾斜部２１００を備える。傾斜部２１００は、カメラ本体１０２０の幅方向に延びて形成される。図９（ａ）および図９（ｂ）は、図１（ａ）におけるＡ部に対応する部分を模式的に示した拡大図である。
【００６２】
図９（ａ）は、三脚を使用しない場合を示す。図９（ａ）に示すように、傾斜部２１００は、前カバー２０３１の底面部２０３４にカメラ本体１０２０の前方に向かって下側に傾斜するように形成される。前カバー２０３１の底面からの弾性部材１２１０の高さｈ４は、前カバー２０３１の底面からの傾斜部２１００の高さｈ５よりも高い。カメラ本体１０２０を、例えば机の上面に置く場合は、弾性部材１２１０の底面が、机の上面と接触する。したがって、傾斜部２１００は、机の上面に傷を付けない。
【００６３】
図９（ｂ）は、カメラ本体１０２０を三脚に固定した場合を示す。第１の実施形態および第２の実施形態で説明したように、カメラ本体１０２０が三脚に固定される場合には、弾性部材１２１０は圧縮される。そして、傾斜部２１００の先端は、雲台１２５０の上面１２５２と線接触する。圧縮された場合の前カバー２０３１の底面からの弾性部材１２１０の高さｈ６は、前カバー２０３１の底面からの傾斜部２１００の高さｈ５以下となる。カメラ本体１０２０は、傾斜部２１００および突出部１０９２によって雲台１２５０の上面１２５２と接触するので、安定した状態で固定される。なお、カバー部１０３０がプラスチック素材で形成される場合であっても、カメラ本体１０２０を三脚の雲台に固定したときに、変形しない程度に高い剛性を有すれば、傾斜部２１００は、支持部として機能する。
【００６４】
図１０は、変形例としての突起部２０３９を備える撮像装置１０００を底面側から見た様子を模式的に示す図である。図面を簡略化する目的で、レンズユニット１０１０、カメラ本体１０２０、三脚座１０８０、突出部１０９２および突起部２０３９を抽出して図示される。なお、弾性部材１２１０は省略する。第１の実施形態および第２の実施形態においては、２つの突起部１０３９が突出部１０９２と同一直線上に並ばないように配置される例を示した。すでに説明したが、撮像装置１０００は、横方向に揺れにくい。したがって、１つの突起部２０３９と１つの突出部１０９２で支持する場合には、突起部２０３９は、三脚座１０８０および突出部１０９２と同一直線上に並んで配置されればよい。突起部２０３９、三脚座１０８０および突出部１０９２を同一直線上に並んで配置することにより、カメラ本体１０２０を三脚に固定する場合に、撮像装置１０００は、前後方向に安定して固定される。突起部２０３９は、横方向に幅を有して形成されるので、カメラ本体１０２０は、横方向に安定して固定される。
【００６５】
第１の実施形態および第２の実施形態においては、三脚座１０８０と、突出部１０９２を有する三脚座プレート１０９０とは、別体で構成される例を示した。しかしながら、三脚座１０８０と三脚座プレート１０９０は、一体的に形成されてもよい。つまり、突出部１０９２は、三脚座１０８０と一体的に形成されてもよい。突出部１０９２は、プレス加工、切削加工、ダイカスト等により三脚座１０８０と一体的に形成されてもよい。これにより、部品点数を削減することができる。また、組立やすさが向上する。さらに、突出部１０９２と三脚座１０８０の剛性が高くなるので、三脚を使用する場合に、カメラ本体１０２０は、雲台１２５０に安定して固定される。
【００６６】
第１の実施形態および第２の実施形態においては、前カバー１０３１に底面部１０３４を形成し、底面部１０３４に第１開口部１０３７および第２開口部１０３８を設ける例を示した。しかしながら、第１開口部１０３７および第２開口部１０３８は、前カバー１０３１に設けられることに限らず、後カバー１０３３形成された底面部に設けられてもよい。また、前カバー１０３１および後カバー１０３３とは別体の底カバーを設け、第１開口部１０３７および第２開口部１０３８は、当該底カバーに設けられてもよい。
【００６７】
三脚座１０８０と第１開口部１０３７との間に、モルトプレーン、ゴム等の封止部材を設けてもよい。これにより、三脚座１０８０と、カバー部１０３０との隙間からカバー部１０３０内部への水、塵等の異物の侵入を防ぐことができる。
【００６８】
第１の実施形態および第２の実施形態においては、突起部１０３９が前カバー１０３１と一体的に形成される構成を説明した。しかし、突起部１０３９は、前カバー１０３１と別体であってもよい。この場合には、カメラ本体１０２０を三脚の雲台に固定したときに、変形しない程度に高い剛性を有する例えば金属ピンが、前カバー１０３１の底面部１０３４に取り付けられればよい。
【００６９】
第１の実施形態および第２の実施形態においては、レンズユニット１０１０を有するカメラ本体１０２０を取り上げて、撮像装置１０００の構成を説明した。しかし、撮像装置とは、レンズユニット１０１０を有しないカメラ本体１０２０を含む概念である。また、撮像装置とは、レンズ交換式カメラの一例である一眼レフレックスカメラの他に、レンズ非交換式の種々の態様のカメラを含む概念である。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７２】
１０００  撮像装置、１０１０  レンズユニット、１０１１  光軸、１０１２  レンズ側マウント、１０１４  光学系、１０２０  カメラ本体、１０２２  ボディ側マウント、１０２４  表示ユニット、１０３０  カバー部、１０３１、２０３１  前カバー、１０３２  上カバー、１０３３  後カバー、１０３４、２０３４  底面部、１０３５  支持部、１０３６  第２ガイド部、１０３７、１２１２  第１開口部、１０３８、１２１４  第２開口部、１０３９、２０３９  突起部、１０４０  ボディ部、１０４２  ミラーユニット、１０４３  メインミラー、１０４４  サブミラー、１０４６  突当部、１０５０  焦点検出ユニット、１０６０  ファインダユニット、１０６１  フォーカシングスクリーン、１０６２  ペンタプリズム、１０６３  ファインダレンズ系、１０６４  ファインダ窓、１０７０  三脚取付部、１０７２  ねじ、１０７４  コイルバネ、１０８０  三脚座、１０８１  鍔部、１０８２  軸部、１０８３  貫通孔、１０８４  雌ねじ、１０８５  第１ガイド部、１０９０、２０９０、３０９０、４０９０  三脚座プレート、１０９１、２０９１  基台部、１０９２、２０９２、３０９２、４０９２  突出部、１０９３  第１貫通孔、１０９４  第２貫通孔、１０９５  溝部、１１００  撮像ユニット、１２００  嵌合部、１２１０  弾性部材、１２５０  雲台、１２５２  上面、１２６０  三脚ねじ、１２６２  雄ねじ、１３００  ボディ底部、１３０２  第１貫通孔、１３０４  第２貫通孔、１３３２  アイカップ、１４００  処理ユニット、３０９６、４０９６  突部、３０９７、４０９７  底面、２１００  傾斜部
【図１】
2015161739.tif 000003
【図２】
2015161739.tif 000004
【図３】
2015161739.tif 000005
【図４】
2015161739.tif 000006
【図５】
2015161739.tif 000007
【図６】
2015161739.tif 000008
【図７】
2015161739.tif 000009
【図８】
2015161739.tif 000010
【図９】
2015161739.tif 000011
【図１０】
2015161739.tif 000012